(57)【要約】【課題】構造簡単にして部品点数が少なく、製作コストが安くつき、足場板への幅木本体の取付けが簡単容易となる足場用幅木を提供する。【解決手段】足場用建枠２の横材３間に掛け渡された足場板１の側縁部上に起立姿勢で取り付けられる幅木であり、幅木本体５の外面側に、足場板１の外側端面に支持される複数のアウトガイド６が設けられ、幅木本体５の一端下部に外れ止め金具７が設けられ、他端下部に係止金具８を設けられ、外れ止め金具７は、横材３に係止する係止凹部９ａを有し、幅木本体５の内面側に取り付けられた金具本体９と、金具本体９の内方側面で後方位置に上下可動となるように取り付けられ、下動により金具本体９と共に横材３を掴持して施錠状態となり、引き上げることにより解錠する落下錠１０とからなり、係止金具８は、横材３に係止する係止凹部８ａを有し、幅木本体５の内面側に取り付けられている。【選択図】図２
2010270439.tif 000002
【特許請求の範囲】
【請求項１】
対向する足場用建枠の横材間に掛け渡された足場板の側縁部上に起立姿勢で取り付けられる幅木であって、幅木本体の外面側に、足場板の外側端面に支持される複数のアウトガイドが設けられ、幅木本体の一端下部には外れ止め金具が設けられ、他端下部には係止金具を設けられ、外れ止め金具は、足場用建枠の横材に係脱自在に係止する係止凹部を有し、幅木本体の内面側に取り付けられた金具本体と、この金具本体の内方側面で後方位置に上下可動となるように取り付けられ、下動により金具本体と共に横材を掴持して施錠状態となり、引き上げることによって解錠する落下錠と、からなり、係止金具は、足場用建枠の横材に係脱自在に係止する係止凹部を有し、幅木本体の内面側に取り付けられている足場用幅木。
【請求項２】
前記外れ止め金具の落下錠には、その上端部から後方へ下向きコ字状に一体に延出し、落下錠が金具本体に対し下動して施錠状態となった時にその先端部下面が足場板の上面に支持されて、足場板上面との間に解錠操作用の指挿入部を形成する支持アーム部が設けられている請求項１に記載の足場用幅木。
【発明の詳細な説明】
【技術分野】
【０００１】
本発明は、建築現場等で仮設される足場板の側縁部上に起立姿勢に取り付けられる足場用幅木関する。
【背景技術】
【０００２】
建築現場等における足場板上での高所作業では、作業者の手にしたボルト、ナット、金具類等の種々の施工用物品や工具類、足元に置いた各種資材や用具等を誤って落下させ、事故につながるという危険性が常に付きまとう。そこで、足場板の側縁部上に幅木を取り付けるようにしている。
【０００３】
従来の足場用幅木として、例えば、下記特許文献１に記載されたものがある。これは、幅木本体の外面側に、複数のスライドロック金具が、夫々ロックボルトの回動操作によって幅木本体に対し上下にスライドするように取り付けられ、各スライドロック金具は、幅木本体よりも下方に突出する下部に幅木本体の下面と対向するロック片を備え、このロック片と幅木本体の下面との間に足場板の側縁部を嵌め込んだ状態で、スライドロック金具が上方へスライドするようにロックボルトを締め付けることによって、幅木本体が垂直姿勢に固定されるようになっている。
【先行技術文献】
【特許文献】
【０００４】
【特許文献１】特開２００２−２２７４０２号公報
【発明の概要】
【発明が解決しようとする課題】
【０００５】
上記のような従来の足場用幅木は、部品点数が多いことから、製作費が高くつき、足場板への幅木本体の取付けに手間がかかる、といった問題があった。
【０００６】
本発明は、上記の事情に鑑み、構造簡単にして部品点数が少なく、製作コストが安くつき、足場板への幅木本体の取付けが簡単容易となる足場用幅木を提供することを目的とする。
【課題を解決するための手段】
【０００７】
上記課題を解決するための手段を、後述する実施形態の参照符号を付して説明すると、請求項１に係る発明は、対向する足場用建枠２，２の横材３，３間に掛け渡された足場板１の側縁部上に起立姿勢で取り付けられる幅木であって、幅木本体５の外面側に、足場板１の外側端面に支持される複数のアウトガイド６が設けられ、幅木本体５の一端下部には外れ止め金具７が設けられ、他端下部には係止金具８を設けられ、外れ止め金具７は、足場用建枠２の横材３に係脱自在に係止する係止凹部９ａを有し、幅木本体５の内面側に取り付けられた金具本体９と、この金具本体９の内方側面で後方位置に上下可動となるように取り付けられ、下動により金具本体９と共に横材３を掴持して施錠状態となり、引き上げることによって解錠する落下錠１０と、からなり、係止金具８は、足場用建枠２の横材３に係脱自在に係止する係止凹部８ａを有し、幅木本体５の内面側に取り付けられていることを特徴とする。
【０００８】
請求項２は、請求項１に記載の足場用幅木において、前記外れ止め金具７の落下錠１０には、その上端部から後方へ下向きコ字状に一体に延出し、落下錠１０が金具本体９に対し下動して施錠状態となった時にその先端部下面１５ｏが足場板１の上面に支持されて、足場板１上面との間に解錠操作用の指挿入部１６を形成する支持アーム部１５が設けられていることを特徴とする。
【発明の効果】
【０００９】
上記解決手段による発明の効果を、後述する実施形態の参照符号を付して説明すると、請求項１に係る発明の足場用幅木は、幅木本体５の一端側に金具本体９と落下錠１０とからなる外れ止め金具７を設け、他端側に係止金具８を設けたもので、構造簡単で部品点数が少ないから、製作コストが安くつく。足場板１への取付けにあたっては、幅木本体５を持ち上げた状態から足場板１の側縁部上に下ろし、各アウトガイド６を足場板１の外側端面１ａに当接支持させながら、幅木本体５の一端側にある係止金具８を、一方の足場用建枠２の横材３と足場板１の端部との間に挿入して、その係止凹部８ａを横材３に係止させ、また他端側にある外れ止め金具７を、他方の足場用建枠２の横材３と足場板１の端部との間に挿入すれば、金具本体９の係止凹部９ａが横材３に係止すると共に、落下錠１０の下端部が横材３にガイドされて上下動しながら自動的に施錠状態となる。即ち、一端側の係止金具８を一方の横材３と足場板１の間に挿入し、他端側にある外れ止め金具７を他方の横材３と足場板１の間に挿入するだけで、簡単容易に取り付けることができる。
【００１０】
上記のようして足場板１に取り付けた幅木を取り外すには、外れ止め金具７の落下錠１０を引き上げて解錠し、この外れ止め金具７のある幅木本体５の一端部側を持ち上げて、外れ止め金具７を一方の足場用建枠２の横材３と足場板１の間から抜き取った後、係止金具８のある他端部側を持ち上げて、係止金具８を他方の足場用建枠２の横材３と足場板１の間から抜き取ることにより、足場用幅木４を簡単容易に取り外すことができる。
【００１１】
そして、幅木本体５は、アウトガイド６が足場板１の外側端面に当接されることにより起立姿勢に保持される。また幅木本体５は、一端側にある係止金具８の係止凹部８ａが横材３に係止すると共に他端側にある外れ止め金具７の金具本体９の係止凹部９ａが横材３に係止することにより、幅木本体５の長手方向の移動が阻止され、また外れ止め金具７の落下錠１０が施錠状態となって横材３を掴持する掴持機能を発揮することにより、幅木本体５の上下方向移動、幅方向移動及び倒れが阻止される。これによって、幅木本体５は足場板１の側縁部上に起立姿勢に固定されることになる。
【００１２】
請求項２に係る発明によれば、落下錠１０が金具本体９に対し下動して施錠状態となった時に支持アーム部１５の先端部下面１５ｏが足場板１上面に支持されて、この支持アーム部１５と足場板１の上面との間に解錠操作用指挿入部１６が形成されるから、落下錠１０の解錠操作が容易となる。
【図面の簡単な説明】
【００１３】
【図１】本発明に係る足場用幅木を連続する２つの足場板の両側縁部に沿って取り付けられた状態を示す正面図、(b) は平面図である。
【図２】(a) は図１に示す足場用幅木の正面図、(b) は平面図であり、(c) は(a) の矢印Ａで示される部分の拡大図、(d) は(a) の矢印Ｂで示される部分の拡大図である。
【図３】(a) は足場板の内方側から見た幅木の取付状態を示す斜視図、(b) は図１の(a) の矢印Ｃで示される部分の拡大図である。
【図４】(a) は図２の(a) の矢印Ｄで示される部分の拡大図、(b) は(a) のＥ−Ｅ線断面図である。
【図５】(a) 〜(c) は落下錠を解除して足場板を取り外す方法を説明する説明図である。
【発明を実施するための形態】
【００１４】
以下に本発明の好適な一実施形態を図面に基づいて説明すると、図１の(b) 及び図３に概略示すように、足場板１は、対向する足場用建枠２，２の横材３，３間に掛け渡され、この足場板１の側縁部上に本発明に係る足場用幅木４が起立姿勢に取り付けられている。足場板１の両端部には夫々フックＦがその左右端側に突設されている。足場用幅木４は、図３及び図４に示すように、内側壁５ａと、上壁部５ｂと、下壁部５ｃと、上下壁部５ｂ，５ｃから夫々内向きに突出するフランジ５ｄとにより断面略Ｃ字状に形成されると共に、両端部に断面コ字状の端枠部５ｅが取り付けられてなる幅木本体５を有する。尚、足場板１のフックＦは、フック本体ｆａと落下錠ｆｂとからなる。
【００１５】
この幅木本体５の外面側には、図１の(a) 、図２の(b) 及び図４の(b) に示すように、足場板１の外側端面に支持される複数のアウトガイド６が、下部側フランジ５ｄの下端から突出するように固着されており、その下端突出部分を６ａで示す。また、幅木本体５の一端下部には外れ止め金具７が設けられ、他端下部には係止金具８を設けられている。
【００１６】
外れ止め金具７は、図２及び図３に示すように、足場用建枠２の横材３に係脱自在に係止する略半円形の係止凹部９ａを有し、幅木本体５の一端部内面側に取り付けられた金具本体９と、この金具本体９の内方側面で係止凹部９ａの後方位置に上下可動となるように取り付けられていて、下動することにより金具本体９と共に横材３を掴持して施錠状態となり、引き上げることによって解錠する落下錠１０と、から構成される。
【００１７】
外れ止め金具７の金具本体９は、分厚い鋼板によって形成されたもので、上端部側が、幅木本体５の一端部を形成するコ字状端枠部５ｅの内側面に溶接やリベット止めにより固着されている。落下錠１０は、金具本体９よりは薄い鋼板によって形成されたもので、金具本体９の係止凹部９ａと略同径となる円弧状内周部１０ａを有し、金具本体９の係止凹部９ａの後方位置で、上下に設けられた長孔１１，１２を貫通するピン１３，１４によって金具本体９に上下可動となるように取り付けられている。
【００１８】
また落下錠１０には、その上端部から後方へ下向きコ字状に一体に延出し、図２の(c) に示すように落下錠１０が金具本体９に対し下動して施錠状態となった時にその先端部下面１５ｏが足場板１の上面に支持されて足場板上面との間に解錠操作用の指挿入部１６を形成する支持アーム部１５が設けられている。
【００１９】
また幅木本体５の他端下部に設けられている係止金具８は、図２の(d) に示すように、足場用建枠２の横材３に係脱自在に係止する略半円形の係止凹部８ａを有し、幅木本体５の内面側に取り付けられている。この係止金具８は、図３の(b) から分かるように、外れ止め金具７の金具本体９と同じようなもので、分厚い鋼板により形成されて、上端部側が、幅木本体５の一端部を形成するコ字状端枠部５ｅの内側面に溶接やリベット止めにより固着されている。
【００２０】
図１の(b) から分かるように、１つの足場板１の両側縁部に取り付けられる足場用幅木４，４は、外れ止め金具７と係止金具８とが互いに逆の配置となっている。これは、各足場用幅木４が同じ構造のものであって、足場板１の一側縁部に取り付けた足場用幅木４に対し、他側縁部には同じ構造の足場用幅木４を水平回りに反転させて取り付けるからである。
【００２１】
上述したように構成される足場用幅木４を足場板１に取り付けるには、幅木本体５を、足場板１の側縁部の上方に持ち上げた状態からそのまま下ろして、各アウトガイド６を足場板１の外側端面１ａに当接支持させながら、幅木本体５の一端側にある係止金具８を、足場板１の端面と足場用建枠２の横材３との間に挿入して、その係止凹部８ａを横材３に押し付けて係止させ、また他端側にある外れ止め金具７をそのまま他方の足場用建枠２の横材３と足場板１の端部との間に挿入すれば、金具本体９の係止凹部９ａが横材３に係止すると共に、自重で落下して施錠状態にある落下錠１０の下端部が横材３の周面に添接しながら一旦押し上げられた後、落下して施錠状態となり、横材３を掴持することになる。即ち、一端側の係止金具８を一方の横材３と足場板１の間に挿入し、他端側にある外れ止め金具７を他方の横材３と足場板１の間に挿入するだけで、簡単容易に取り付けられる。
【００２２】
これにより、幅木本体５は、図４の(b) に示すように足場板１の側縁部上に起立姿勢に保持された状態で固定される。また、この図４の(b) から分かるように、幅木本体５の下壁部５ｃが足場板１の上面に載置された状態で、アウトガイド６の下端突出部分６ａが足場板１の外側端面に当接支持されることによって、幅木本体５は起立姿勢、即ち垂直姿勢に保持される。
【００２３】
また、この幅木本体５は、一端側にある係止金具８の係止凹部８ａが横材３に係止すると共に、他端側にある外れ止め金具７の金具本体９の係止凹部９ａが横材３に係止することによって幅木本体５の長手方向の移動が阻止され、また外れ止め金具７の落下錠１０が施錠状態となって横材３を掴持する掴持機能を発揮することにより、幅木本体５の上下方向移動及び幅方向移動が阻止されると共に、幅木本体５の倒れが阻止される。こうして、幅木本体５は足場板１の側縁部上に起立姿勢に固定されることになる。
【００２４】
図２の(d) は横材３に対する係止金具８の係止状態を示し、また図２の(c) は外れ止め金具７の金具本体９が横材３に係止した状態及び落下錠１０による施錠状態を示す。また図２の(c) から分かるように、落下錠１０が金具本体９に対し下動して施錠状態となった時に下向きコ字状支持アーム部１５の先端部下面１５ｏが足場板の上面に支持されて、この支持アーム部１５と足場板１の上面との間に、空間部である解錠操作用指挿入部１６を形成するから、落下錠１０の解錠操作が容易となる。
【００２５】
図５は外れ止め金具７の落下錠１０を解錠して足場用幅木４の取り外す方法を示すもので、落下錠１０を解錠する時は、(a) に示すように支持アーム部１５と足場板１上面との間に形成されている解錠操作用指挿入部１６に指を挿入して、この支持アーム部１５を同図の矢印で示すように斜め上方へ引き上げると、施錠位置にあった落下錠１０が上動して解錠状態となる。こうして落下錠１０が解錠状態となった外れ止め金具７のある幅木本体５の一端部側を持ち上げて、外れ止め金具７を一方の足場用建枠２の横材３と足場板１の端部との間から抜き取った後、係止金具８のある幅木本体５の他端部側を、外れ止め金具７のある端部側へ引っ張った状態で持ち上げて、係止金具８を他方の足場用建枠２の横材３と足場板１の端部との間から抜き取ることにより、足場用幅木４を足場板１から簡単容易に取り外すことができる。
【符号の説明】
【００２６】
１            足場板
２            足場用建枠
３            横材
４            足場用幅木
５            幅木本体
６            アウトガイド
７            外れ止め金具
８            係止金具
９            金具本体
１０          落下錠
【図１】
2010270439.tif 000003
【図２】
2010270439.tif 000004
【図３】
2010270439.tif 000005
【図４】
2010270439.tif 000006
【図５】
2010270439.tif 000007